(57)【要約】      （修正有）【課題】器具内収容物の損傷防止を図ることができる照明器具を提供する。【解決手段】光源を保持した器具本体と、照明器具は、断面略Ｖ字状に形成されて器具本体に取り付けられる中反射板１５とが前記中反射板１５に取り付けられるルーバー１４と、を備えた照明器具であって、前記中反射板１５は端縁に折曲部３７，３８を有し、長尺で断面略Ｖ字状の保護カバー１６を前記中反射板１５の前記折曲部３７，３８の裏面に接触させて取り付ける。前記保護カバー１６には、端縁に複数の中反射板係合突起を設けている。【選択図】図３
2011090927.tif 000002
【特許請求の範囲】
【請求項１】
光源を保持した器具本体と、
断面略Ｖ字状に形成されて前記器具本体に取り付けられる中反射板と、
前記中反射板に取り付けられるルーバと、
を備えた照明器具であって、
前記中反射板は、端縁に折曲部を有し、
長尺で断面略Ｖ字状の保護カバーを前記中反射板の前記折曲部の裏面に接触させて取り付けたことを特徴とする照明器具。
【請求項２】
前記保護カバーは、端縁に複数の中反射板係合突起を設けたことを特徴とする請求項１に記載した照明器具。
【請求項３】
前記保護カバーは、中央部に前記ルーバに当接して長手方向へのずれを規制するためのルーバ係合突起を設けたことを特徴とする請求項１または２に記載した照明器具。
【請求項４】
前記保護カバーに安定器を接触させて取り付けたことを特徴とする請求項１〜３のいずれかに記載した照明器具。
【発明の詳細な説明】
【技術分野】
【０００１】
本発明は、例えば住宅や工場等の天井施工面に直接取り付けられる照明器具に関し、特にルーバを備えた照明器具に関する。
【背景技術】
【０００２】
従来の照明器具の一例として、器具本体に上方に向けて立ち上げ部を形成し、立ち上げ部に反射板の斜面部を当接させて反射板を器具本体に取り付けたものがある（例えば、特許文献１参照）。
【先行技術文献】
【特許文献】
【０００３】
【特許文献１】実開平５−５３０２３号公報（図１、請求項１）
【発明の概要】
【発明が解決しようとする課題】
【０００４】
通常、ルーバを中反射板に差し込んで構成されているルーバ付きの照明器具は、器具本体と中反射板との間の空間に余裕がないと、例えば、電源端子台に接続した電源電線を引き回すための収納スペースがない。
従って、このような照明器具では、器具本体と中反射板との間の空間に電源電線を無理に収納した場合、中反射板に対して直交するように中反射板に組付けられているルーバに有する中反射板差し込み部が電源電線等に直角に接触してしまい、ルーバにより電源電線等の器具内収容物を傷つけてしまう虞があった。
【０００５】
一方、上記特許文献１に開示された従来の照明器具は、器具本体に上方に向けて立ち上げ部が形成されている。
従って、上記特許文献１の照明器具では、器具本体と中反射板の間に立ち上げ部が配置されており、器具本体と中反射板の間に電源電線を収納した場合、立ち上げ部が電源電線に接触してしまい、上記照明器具と同様にして、立ち上げ部により電源電線等の器具内収容物を傷つけてしまう虞があった。
【０００６】
本発明は、前述した課題を解決するためになされたものであり、その目的は、器具内収容物の損傷防止を図ることができる照明器具を提供することにある。
【課題を解決するための手段】
【０００７】
本発明に係る照明器具は、光源を保持した器具本体と、断面略Ｖ字状に形成されて前記器具本体に取り付けられる中反射板と、前記中反射板に取り付けられるルーバと、を備えた照明器具であって、前記中反射板は、端縁に折曲部を有し、長尺で断面略Ｖ字状の保護カバーを前記中反射板の前記折曲部の裏面に接触させて取り付けたことを特徴とする。
【０００８】
本発明において、中反射板は端縁に折曲部を有し、長尺の保護カバーが中反射板の折曲部の裏面に接触して取り付けられた。
これにより、本発明において、中反射板は、断面略Ｖ字状の内側が保護カバーにより覆われることにより、中反射板に取り付けられるルーバの中反射板差し込み部を露出させない。
従って、本発明においては、中反射板の内側に電源電線等の器具内収容物が配置されたとしても、ルーバが器具内収容物に直接接触することはなく、器具内収容物の損傷防止を図ることができる。
【０００９】
本発明に係る照明器具は、上記照明器具において、前記保護カバーは、端縁に複数の中反射板係合突起を設けたことを特徴とする。
【００１０】
本発明において、保護カバーは、端縁の複数の中反射板係合突起を中反射板の折曲部の裏面に接触させて取り付けられる。
これにより、本発明においては、ネジやボルトやナット等の別部品となる締結部材を用いることなく、保護カバーを中反射板に取り付けることができる。
従って、本発明においては、部品点数を増加させることなく、保護カバーを中反射板に簡単に組付けることができる。
【００１１】
本発明に係る照明器具は、上記照明器具において、前記保護カバーは、中央部に前記ルーバに当接して長手方向へのずれを規制するためのルーバ係合突起を設けたことを特徴とする請求項１または２に記載した照明器具。
【００１２】
本発明において、保護カバーは、ルーバ係合突起をルーバに当接させることにより長手方向へのずれが規制される。
これにより、本発明において、保護カバーはルーバ係合突起をルーバに当接させることにより中反射板に対する所定位置に位置決められる。
従って、本発明においては、保護カバーの中反射板への位置決めを簡単に行うことができる。
【００１３】
本発明に係る照明器具は、上記照明器具において、前記保護カバーに安定器を接触させて取り付けたことを特徴とする。
【００１４】
本発明において、駆動時に発熱する安定器が保護カバーに接触して取り付けられる。
これにより、本発明において、安定器は保護カバーに熱的に接続される。
従って、本発明においては、保護カバーを放熱性に富む材料で成形することにより、保護カバーを通じて安定器の熱エネルギーを効率よく放熱して安定器の温度特性を向上させることができる。
【発明の効果】
【００１５】
本発明の照明器具によれば、断面略Ｖ字状に形成されて器具本体に取り付けられる中反射板が端縁に折曲部を有し、長尺で断面略Ｖ字状の保護カバーを中反射板の折曲部の裏面に接触させて取り付けた。
これにより、本発明の照明器具によれば、器具内収容物の損傷防止を図ることができるという効果を有する。
【図面の簡単な説明】
【００１６】
【図１】本発明に係る一実施形態の照明器具の斜め下方から視た外観斜視図
【図２】図１の照明器具の分解斜視図
【図３】図１の照明器具の保護カバー取付前の中反射板とルーバとの組体の斜め上方から視た外観斜視図
【図４】図１の照明器具の保護カバーの突起の斜め上方から視た外観斜視図
【図５】図１の照明器具の保護カバーの中反射板への取付手順を説明する第１段階の正面図
【図６】図１の照明器具の保護カバーの中反射板への取付手順を説明する第２段階の正面図
【図７】図１の照明器具の保護カバーの中反射板への取付手順を説明する第３段階の正面図
【図８】図１の照明器具の保護カバー取付後の中反射板とルーバとの組体の斜め上方から視た外観斜視図
【図９】図８の一部破断側面図
【図１０】図８の垂直断面図
【発明を実施するための形態】
【００１７】
以下、本発明の一実施形態に係る照明器具について図面を参照して説明する。
【００１８】
本発明の一実施形態である照明器具１０は、器具本体１１と、光源である一対の直管型の蛍光ランプ１２と、複数のルーバ１４と単一の中反射板１５とからなる組体１３と、中反射板に組付けられる保護カバー１６と、一対の第１仮吊紐１７および第２仮吊紐１８とを備えて、天井施工面１に直接取り付けられる。
【００１９】
図１、図２に示すように、器具本体１１は、比較的薄い金属製板部材を用いて成形されており、天板１９と、一対の対向配置された端板２０と、一対の対向配置された側板２１とを有して下方を開放している。器具本体１１は、天板１９の下面において幅方向の中央部に、安定器２２と、電源端子台２３と、一対の中反射板取付バネ２４，２４とをそれぞれ取り付けている。器具本体１１は、天板１９の下面において幅方向の中央部に、長手方向に一対の取付ボルト孔２５，２５と、同じく長手方向の端板２０寄りに一対の器具本体側仮吊紐引掛部２６，２６とを設けており、電源端子台２３の近傍に単一の電源線挿通孔２７を設けている。
【００２０】
器具本体１１の取付ボルト孔２５には、天井施工面１から床面に向けて突出設置されている一対の取付ボルト２が挿通される。そして、これら取付ボルト２に座金２８を介してナット２９がそれぞれねじ込まれることにより、器具本体１１が天井施工面１に接して組み付けられる。器具本体側仮吊紐引掛部２６は、天板１９を切り起し成形することにより、下方に向けてＶ字の板形状に突出形成されている。
【００２１】
電源線挿通孔２７には、天井施工面１側から電源線３が引き込まれる。電源線３は電源端子台２３に電気的に接続される。電源端子台２３からは不図示の電源電線が安定器２２を通じてランプソケット３０へ配策される。
【００２２】
中反射板取付バネ２４は、器具本体１１の天板１９から下方に向けてハ字形状に突出して配置されている。中反射板取付バネ２４は、両先端部に有するＬ字形状部分を中反射板１５に形成されている中反射板取付バネ係止部３１に係止することにより中反射板１５を器具本体１１に保持する。器具本体１１は、それぞれの端板２０の内側に二対のランプソケット３０を対向させて取り付けている。
【００２３】
ルーバ１４は、器具本体１１と同様の比較的薄い金属製板部材を用いて成形されている。ルーバ１４は、器具本体１１の両側板２１の間隔寸法よりも小さい幅寸法を有し、中央部が大きく両側部が小さいものとして予め定められた高さ寸法を有する。
【００２４】
中反射板１５は、ルーバ１４と同様の比較的薄い金属製板部材を用いて断面視Ｖ字形状に形成されている。中反射板１５は、器具本体１１の両端板２０の間隔寸法よりも小さい長さ寸法を有し、長手方向に沿った両外側に一対の副反射板３２をそれぞれ備える。中反射板１５は内側に空間部３３を有する。そのため、中反射板１５は、安定器２２、電源端子台２３、取付ボルト２，２、座金２８，２８およびナット２９，２９、電源線３、電源電線、器具本体側仮吊紐引掛部２６，２６のそれぞれを床面側から直視できないように空間部３３内に収納する。
【００２５】
第１仮吊紐１７は、所定の十分に長い長さ寸法を有する仮吊紐本体３４の一端部にＳ字形状をなす金属製のフック部３５を有し、仮吊紐本体３４の他端部に略球形状をなす不図示の結び目を有する。第２仮吊紐１８は、第１仮吊紐１７と同一に形成されており、仮吊紐本体３４の一端部にフック部３５を有し、仮吊紐本体３４の他端部に略球形状をなす結び目を有する。第１仮吊紐１７は、そのフック部３５を器具本体１１の一方の器具本体側仮吊紐引掛部２６に引掛け、その結び目を中反射板１５の一方側に引掛ける。第２仮吊紐１８は、そのフック部３５は器具本体１１の他方の器具本体側仮吊紐引掛部２６に引掛け、その結び目を中反射板１５の他方側に引掛ける。
【００２６】
図３に示すように、中反射板１５は、Ｖ字の板形状をなす中反射板本体３６の両端縁に、内側に折り曲げられた折曲板部３７，３８を形成している。中反射板１５は、ルーバ１４を装着するためのルーバ取付用スリット３９と、ルーバ取付用スリット３９の外側に配置された一対の折曲片挿通用孔４０，４０とを長手方向の等間隔に複数有する。中反射板本体３６は、その長手方向の両端部寄りに四角形の穴形状をなす一対の中反射板取付バネ係止部３１を形成している。
【００２７】
ルーバ１４は、その中央部に中反射板１５のＶ字形状に対応する中反射板差し込み部４１を突出形成しており、中反射板差し込み部４１の両側に一対の折曲片４２，４２を突出形成している。折曲片４２は舌片状に形成されている。ルーバ１４は、中反射板１５のルーバ取付用スリット３９に中反射板差し込み部４１を挿通させ、中反射板１５の一対の折曲片挿通用孔４０，４０に一対の折曲片４２，４２をそれぞれ挿通させた後に、一対の折曲片４２，４２を中反射板１５の内面において折り曲げ成形することにより中反射板１５に固定される。これにより、複数のルーバ１４と中反射板１５とからなる組体１３が形成される。
【００２８】
ルーバ１４は、中反射板差し込み部４１の両側部に、上方から下方に向けて湾曲形状に切除された一対の蛍光ランプ逃げ凹部４３，４３を有する。そして、ルーバ１４は、蛍光ランプ逃げ凹部４３，４３の両外側に、上方から下方に向けてＩ字形状に切除された一対の副反射板取付用スリット４４，４４をそれぞれ有する。
【００２９】
保護カバー１６は、中反射板１５と同様の放熱性を有する比較的薄い金属製板部材を用いて断面視Ｖ字形状に形成されている。保護カバー１６は中反射板１５よりも短い長さ寸法を有する長尺の保護カバー本体４５の底部に平坦状の底板４６を有する。保護カバー本体４５は、その長手方向の両端部におけるＶ字形状の両端縁と中央部におけるＶ字形状の両端縁とに保護カバー本体４５から矩形に突出した６個の中反射板係合突起４７を形成している。保護カバー１６は、保護カバー本体４５の底板４６に、一対のルーバ係合突起４８，４８を形成している。
【００３０】
図４に示すように、ルーバ係合突起４８は、保護カバー本体４５の底板４６をコ字形状に切除した後に、コ字形状を形成しない長手方向の一方を支点として下方に向けて折り曲げ成形することにより、板方向が保護カバー１６の長手方向に沿う四角形の板形状にして下方に向けて突出する。
【００３１】
次に保護カバー１６の中反射板１５への取付手順について説明する。
図５に示すように、保護カバー１６は、ルーバ１４が組付けられている中反射板１５に取り付けられる。保護カバー１６は、展開時（自然時）の中反射板係合突起４７間の幅寸法Ｌ１が中反射板１５の折曲板部３７，３８間の長さ寸法Ｌ２よりも大きく、中反射板１５の全体の幅寸法Ｌ３に略等しい。そのため、保護カバー１６は、その展開状態のまま中反射板１５に組付けられない。
【００３２】
図６に示すように、保護カバー１６は、中反射板係合突起４７間を、中反射板１５の折曲板部３７，３８間の長さ寸法Ｌ２よりも小さい幅寸法Ｌ４になるように押圧されることにより撓ませられる。そして、保護カバー１６は、中反射板係合突起４７が中反射板１５の折曲板部３７，３８の内側に収容されるまで挿入されていき、底板４６がルーバ１４の中反射板差し込み部４１に当接する。
【００３３】
図７に示すように、保護カバー１６は、撓ませられながら中反射板係合突起４７が中反射板１５の折曲板部３７，３８の内側に収容されるまで挿入された後に押圧が解除される。これにより、保護カバー１６は蓄積されている復元力により拡径され、中反射板係合突起４７が中反射板１５の折曲板部３７，３８の裏面に押圧接触して中反射板１５に取り付けられることになる。
【００３４】
図８、図９に示すように、保護カバー１６は、ルーバ係合突起４８，４８の離間距離Ｌ５を予め定められた複数のルーバ１４の離間距離Ｌ６よりもわずかに短く設定されている。そのため、一対のルーバ係合突起４８，４８が複数のルーバ１４の内側に装着されることにより、保護カバー１６を位置決めして中反射板１５の長手方向へのずれを規制することができる。
【００３５】
図１０に示すように、保護カバー１６を取り付けた組体１３は、中反射板１５の中反射板取付バネ係止部３１に中反射板取付バネ２４を係止することにより器具本体１１に取り付けられる。このとき、保護カバー１６は、放熱性を有して長尺に形成されているために大きな放熱容量を有しており、器具本体１１に取り付けられている安定器２２の底面に面接触することにより安定器２２に熱的に接続される。そのため、保護カバー１６を通じて安定器２２が駆動時に発生した熱エネルギーを効率よく放熱することができる。
【００３６】
このような照明器具１０は、工場における組立工程において、中反射板１５に複数のルーバ１４を組付けてから、副反射板取付用スリット４４に副反射板３２を挿入固定し、保護カバー１６が中反射板１５に取り付けられる。
【００３７】
そして、第１仮吊紐１７のフック部３５を一方の器具本体側仮吊紐引掛部２６に引っ掛けるとともに第１仮吊紐１７の結び目を中反射板１５の一方側に引掛け、同様に、第２仮吊紐１８のフック部３５を他方の器具本体側仮吊紐引掛部２６に引っ掛けるとともに第２仮吊紐１８の結び目を中反射板１５の他方側に引掛けておく。
【００３８】
施工現場において、器具本体１１の一対の取付ボルト孔２５を天井施工面１の取付ボルト２に合わせ、器具本体１１の電源線挿通孔２７に電源線３を引き込んで器具本体１１を所定位置に配置する。
【００３９】
次に、取付ボルト２に座金２８を介してナット２９をそれぞれネジ込むことにより、器具本体１１を天井施工面１に組み付ける。このとき、組体１３は、第１仮吊紐１７および第２仮吊紐１８により器具本体１１の下方に吊り下げられている。
【００４０】
そして、第１仮吊紐１７および第２仮吊紐１８により器具本体１１と組体１３との間に形成されている施工スペースを用いて二対のランプソケット３０に２本の蛍光ランプ１２をそれぞれ装着し、その後に、中反射板１５を中反射板取付バネ２４に組み付けることにより保護カバー１６を含む組体１３を器具本体１１に取り付ける。
【００４１】
このとき、中反射板１５の空間部３３内には、電源端子台２３から引き出されている電源電線が引き回されている。しかし、電源電線を含む器具内収容物は、保護カバー１６上に配置されており、保護カバー１６により中反射板１５に取り付けられているルーバ１４の中反射板差し込み部４１が露出していないために、器具内収容物はルーバ１４の中反射板差し込み部４１に直接接触することなく損傷等を受けることがない。
【００４２】
蛍光ランプ１２の交換時期やメンテナンス時期が到来した際に、中反射板１５を中反射板取付バネ２４から取り外す。すると、各フック部３５，３５が器具本体１１の器具本体側仮吊紐引掛部２６，２６にそれぞれ引っ掛けられていて、各結び目が中反射板１５にそれぞれ掛止されている第１仮吊紐１７および第２仮吊紐１８により保護カバー１６を含む組体１３が器具本体１１の下方に吊り下げられる。
【００４３】
次に、第１仮吊紐１７および第２仮吊紐１８により器具本体１１と組体１３との間に形成されている施工スペースを用いて各蛍光ランプ１２の交換作業やメンテナンスを行うことになる。蛍光ランプ１２の交換やメンテナンスが完了した後に、中反射板１５を中反射板取付バネ２４，２４に再び組み付けることにより保護カバー１６を含む中反射板１５を器具本体１１に取り付けて使用状態に復帰することになる。
【００４４】
以上説明してきたように、本発明の一実施形態の照明器具１０では、中反射板１５は端縁に折曲板部３７，３８を有し、長尺の保護カバー１６が中反射板１５の折曲板部３７，３８の裏面に接触して取り付けられた。
これにより、本発明の一実施形態の照明器具１０では、中反射板１５は、断面略Ｖ字状の内側が保護カバー１６により覆われることにより、中反射板１５に取り付けられるルーバの中反射板差し込み部４１を露出させない。
従って、本発明の一実施形態の照明器具１０では、中反射板１５の内側に電源電線等の器具内収容物が配置されたとしても、ルーバ１４が器具内収容物に直接接触することはなく、器具内収容物の損傷防止を図ることができる。
【００４５】
本発明の一実施形態の照明器具１０では、保護カバー１６は、端縁の複数の中反射板係合突起４７を中反射板１５の折曲板部３７，３８の裏面に接触させて取り付けられる。
これにより、本発明の一実施形態の照明器具１０では、ネジやボルトやナット等の別部品となる締結部材を用いることなく、保護カバー１６を中反射板１５に取り付けることができる。
従って、本発明の一実施形態の照明器具１０では、部品点数を増加させることなく、保護カバー１６を中反射板１５に簡単に組付けることができる。
【００４６】
本発明の一実施形態の照明器具１０では、保護カバー１６は、ルーバ係合突起４８をルーバ１４に当接させることにより長手方向へのずれが規制される。
これにより、本発明の一実施形態の照明器具１０では、保護カバー１６はルーバ係合突起４８をルーバ１４に当接させることにより中反射板１５に対する所定位置に位置決められる。
従って、本発明の一実施形態の照明器具１０では、保護カバー１６の中反射板１５への位置決めを簡単に行うことができる。
【００４７】
本発明の一実施形態の照明器具１０では、駆動時に発熱する安定器２２が保護カバー１６に接触して取り付けられる。
これにより、本発明の一実施形態の照明器具１０では、安定器２２は保護カバー１６に熱的に接続される。
従って、本発明の一実施形態の照明器具１０では、保護カバー１６が放熱性に富む材料で成形されているために、保護カバー１６を通じて安定器２２の熱エネルギーを効率よく放熱して安定器２２の温度特性を向上させることができる。
【００４８】
なお、前記各実施形態で使用した器具本体１１、蛍光ランプ１２、ルーバ１４、中反射板１５等は例示したものに限定するものではなく適宜変更が可能である。
【符号の説明】
【００４９】
１０  照明器具
１１  器具本体
１２  蛍光ランプ（光源）
１４  ルーバ
１５  中反射板
１６  保護カバー
２２  安定器
３７、３８  折曲板部（折曲部）
４７  中反射板係合突起
４８  ルーバ係合突起
【図１】
2011090927.tif 000003
【図２】
2011090927.tif 000004
【図３】
2011090927.tif 000005
【図４】
2011090927.tif 000006
【図５】
2011090927.tif 000007
【図６】
2011090927.tif 000008
【図７】
2011090927.tif 000009
【図８】
2011090927.tif 000010
【図９】
2011090927.tif 000011
【図１０】
2011090927.tif 000012